(57)【要約】      （修正有）【課題】入力イベントに対応付けられたメタデータをコンテンツに登録することにより、多大な労力をかけずにメタデータをコンテンツに容易に登録する。【解決手段】コンテンツにメタデータを登録する装置であって、入力イベントとコンテンツに登録されるメタデータとの対応関係を定義したメタデータ対応表と、表示装置の画面にコンテンツを表示する表示制御手段と、入力装置からの入力イベントを受け付ける入力受付手段と、前記メタデータ対応表に基づいて、受け付けた入力イベントに対応付けられたメタデータを前記コンテンツに登録するメタデータ登録処理手段とを備える。【選択図】図２
2008293160.tif 000002
【特許請求の範囲】
【請求項１】
入力イベントとコンテンツに登録されるメタデータとの対応関係を定義したメタデータ対応表と、
表示装置の画面にコンテンツを表示する表示制御部と、
入力装置からの入力イベントを受け付ける入力受付部と、
前記メタデータ対応表に基づいて、前記受け付けた入力イベントに対応付けられたメタデータを前記コンテンツに登録するメタデータ登録処理部と、
を備える情報処理装置。
【請求項２】
前記メタデータ登録処理部が、前記メタデータ対応表に基づいて、前記受け付けた入力イベントに対応付けられたメタデータを前記コンテンツに登録するとともに、
前記表示制御部が、次のコンテンツを画面に表示させることを特徴とする請求項１記載の情報処理装置。
【請求項３】
前記表示制御部が、前記メタデータ対応表とコンテンツとを同じ画面に表示することを特徴とする請求項１または２記載の情報処理装置。
【請求項４】
前記入力イベントが、前記入力装置が有する入力ボタンの押下イベントであることを特徴とする請求項１、２または３記載の情報処理装置。
【請求項５】
前記入力ボタンが、リモートコントローラまたは携帯電話の入力ボタンであることを特徴とする請求項４記載の情報処理装置。
【請求項６】
前記入力装置が、前記入力ボタンの押下時間に応じて、入力イベントを発生することを特徴とする請求項４記載の情報処理装置。
【請求項７】
前記入力装置が、前記入力ボタンの押下の組み合わせに応じて、入力イベントを発生することを特徴とする請求項４記載の情報処理装置。
【請求項８】
メタデータの種類数と使用できる入力ボタン数とに応じて、前記メタデータ対応表を動的に作成するメタデータ対応付け処理部をさらに備える請求項４〜７の何れか記載の情報処理装置。
【請求項９】
前記メタデータ対応表が、１つの入力イベントに対して複数のメタデータが対応付けられたエントリを含むことを特徴とする請求項１〜８の何れか記載の情報処理装置。
【請求項１０】
前記メタデータが、人物情報またはキーワードであることを特徴とする請求項１〜９の何れか記載の情報処理装置。
【発明の詳細な説明】
【技術分野】
【０００１】
本発明は画像の付加情報（メタデータ）の登録装置及び画像の付加情報（メタデータ）の登録方法に関するものである。
【背景技術】
【０００２】
メタデータとは、画像データや映像データに付随するデータであり、特に画像データの場合においては、タイトルやキーワード、人物情報などのデータを意味する。メタデータを用いることで、キーワードによる画像データの検索や、画像データの分類等を容易に行うことでき、利便性が格段に向上する。近年デジタルスチルカメラ、デジタルビデオカメラ、カメラ付携帯電話等の普及により、家庭で撮影する画像データが増加しており、ユーザがすべての画像データにメタデータを登録するのは、多大な労力を必要とする。
【０００３】
そこで、例えば、特許文献１にあるように、アイコンを用いて、被写体の画像データ内の領域にアイコンをドラッグアンドドロップすることにより、画像データの特定の領域にアイコンに関連付けられた被写体情報を登録することができる。
【特許文献１】特開２００４−３３６４６６号公報
【発明の開示】
【発明が解決しようとする課題】
【０００４】
しかしながら、前記従来の構成では、画像データにメタデータを登録するために、画像データ上にアイコンをドラッグアンドドロップする必要があり、数百、数千枚ある家庭で撮影した画像データすべてにメタデータを登録するには多大な労力を要するという課題を有していた。
【０００５】
本発明は、前記従来の課題を解決するものである。本発明は、家庭で撮影した画像データが、家族など特定種類の人物に関する場合が多いこと、撮影を行った場所が、自宅や親戚宅など特定ものに関する場合が多いことに着目した。具体的には、入力イベントとコンテンツに登録されるメタデータとの対応関係を定義したメタデータ対応表を用いて、コンテンツにメタデータを登録できるようにした。これにより、多大な労力をかけずに、メタデータをコンテンツに容易に登録することを目的とする。
【課題を解決するための手段】
【０００６】
前記従来の課題を解決するために、本発明は、入力イベントとコンテンツに登録されるメタデータとの対応関係を定義したメタデータ対応表と、表示装置の画面にコンテンツを表示する表示制御部と、入力装置からの入力イベントを受け付ける入力受付部と、前記メタデータ対応表に基づいて、前記受け付けた入力イベントに対応付けられたメタデータを前記コンテンツに登録するメタデータ登録処理部と、を備えることにより、メタデータをコンテンツに容易に登録することができるという特徴を有する。
【発明の効果】
【０００７】
本発明によれば、ユーザがコンテンツ閲覧中に、入力イベントとコンテンツに登録されるメタデータとの対応関係を定義したメタデータ対応表を用いて、入力イベントに対応付けられたメタデータをコンテンツに登録することにより、ユーザは容易にコンテンツにメタデータを登録することができる。
【０００８】
さらに、前記メタデータ登録処理部が、前記メタデータ対応表に基づいて、前記受け付けた入力イベントに対応付けられたメタデータを前記コンテンツに登録するとともに、前記表示制御部が、次のコンテンツを画面に表示させることにより、ユーザはより一層、コンテンツにメタデータを登録する操作の効率を上げることができる。
【０００９】
さらに、前記表示制御部が、前記メタデータ対応表とコンテンツとを同じ画面に表示することにより、画面上でメタデータ対応表を確認しながら、メタデータを登録する作業ができるので、利便性が向上する。
【００１０】
さらに、前記入力イベントが、前記入力装置が有する入力ボタンの押下イベントであることにより、ユーザは慣れ親しんだ操作でコンテンツにメタデータを登録することができる。
【００１１】
さらに、前記入力ボタンが、リモートコントローラまたは携帯電話の入力ボタンであることにより、ユーザはより慣れ親しんだ操作でコンテンツにメタデータを登録することができる。
【００１２】
さらに、前記入力装置が、前記入力ボタンの押下時間に応じて入力イベントを発生することにより、入力装置の少ない機器においても、ユーザは容易にメタデータを登録することができる。
【００１３】
さらに、前記入力装置が、前記入力ボタンの押下の組み合わせに応じて入力イベントを発生することにより、入力装置の少ない機器においても、ユーザは容易にメタデータを登録することができる。
【００１４】
さらに、メタデータの種類数と使用できる入力ボタン数とに応じて前記メタデータ対応表を動的に作成するメタデータ対応付け処理部をさらに備えることにより、メタデータの種類数と使用できる入力ボタン数とを有効に活用しながら、コンテンツにメタデータを登録することができる。
【００１５】
さらに、前記メタデータ対応表が、１つの入力イベントに対して複数のメタデータが対応付けられたエントリを含むことにより、コンテンツに合った的確なメタデータを登録することができる。
【００１６】
さらに、前記メタデータが、人物情報またはキーワードであることにより、家庭内でとった写真に対してメタデータである家族の人物情報を容易に登録でき、ユーザが好みのキーワードを容易にコンテンツに登録することができる。
【発明を実施するための最良の形態】
【００１７】
以下本発明の実施の形態について、図面を参照しながら説明する。
【００１８】
（実施の形態１）
図１は、本発明であるメタデータ登録装置の実施の形態１における一例を示す図である。図１は、プレイヤ１０１、リモコン１０２、テレビ１０３で構成されている。
【００１９】
プレイヤ１０１は、本発明の実施の形態１における、メタデータ登録装置に該当するプレイヤである。プレイヤ１０１は例えば、画像データをテレビ１０３にスライドショー形式で表示し、閲覧する用途に利用される端末である。リモコン１０２は、プレイヤ１０１、あるいは、テレビ１０３の入力装置である。テレビ１０３は、表示装置の一例である。ユーザは、リモコン１０２を操作するか、テレビ１０３、またはプレイヤ１０１を直接操作することによって、入力イベントを発生させて、本発明を実施する。
【００２０】
入力イベントとは、リモコン１０２の操作、またはプレイヤ１０１若しくはテレビ１０３の直接操作によって発生する、コンテンツにメタデータを登録する処理、または次のコンテンツを画面に表示させる処理を発生する信号である。本発明において、入力イベントは、メタデータに対応付けられることが必要である。そのため、メタデータに対応付けられていない、ただ単に画面に文字を表示させるようなキーボードやマウスからの入力イベントは含まない。
【００２１】
図２は、プレイヤ１０１の構成を示した図である。この図２を用いて、プレイヤ１０１の構成を説明する。プレイヤ１０１は、蓄積装置２０１、メタデータ登録処理部２０２、メタデータ管理部２０３、メタデータ対応付け処理部２０４、表示制御部２０５、入力受付部２０６、ＲＡＭ２０７から構成される。蓄積装置２０１は画像データおよびメタデータである名前等の人物情報、名称等の場所情報、撮影時間等の日付情報やキーワードなどを蓄積するハードディスクや、外部着脱可能な光ディスクメディアや不揮発性メモリを使用した記録媒体等の蓄積デバイスである。メタデータ登録処理部２０２は、画像データ等のコンテンツにメタデータを登録する処理を行う。詳細な動作に関しては後述する。メタデータ管理部２０３は、画像データと登録されたメタデータの管理を行う。詳細な動作については後述する。メタデータ対応付け処理部２０４はリモコン１０２の各種ボタンにメタデータの関連付けの処理を行う。詳細な動作に関しては後述する。表示制御部２０５は表示する画像データを決定し、蓄積装置２０１、またはＲＡＭ２０７等から画像データを取得してテレビ１０３に表示の命令を発行する。入力受付部２０６は、リモコン１０３の操作や、プレイヤ１０１、テレビ１０３の直接の操作などから、入力イベントを受け付け、表示制御部２０５等に命令を発行する処理を行う。ＲＡＭ２０７はメタデータ対応付け処理部２０４等が生成したデータを一時的に格納するメモリであり、ＤＲＡＭ等がそれに該当する。
【００２２】
図３は、プレイヤ１０１の電源投入から、ユーザが画像データの閲覧を開始するまでの処理を示したフローチャートである。このフローチャートを用いて、処理の流れを説明する。
【００２３】
まず、ユーザはプレイヤ１０１の電源ボタンを押下する（３０１）。入力受付部２０６は、ユーザがプレイヤ１０１の電源ボタンを押下げると、メタデータ対応付け処理部２０４に対して、電源が投入されたことを通知する（３０２）。
【００２４】
なお、ユーザがプレイヤ１０１の電源ボタンを押下する（３０１）他に、プレイヤ１０１のリモコンからプレイヤ１０１を起動させるボタンを押下する場合や、テレビ１０３のリモコンからプレイヤ１０１を起動するボタンを押下する場合であってもよい。
【００２５】
メタデータ対応付け処理部２０４は蓄積装置２０１から、メタデータ対応表の構成要素であるメタデータの一覧を取得する。そして、メタデータの数とリモコン１０２のボタンの数とに応じて所定の方法でメタデータとリモコン１０２のボタンとのメタデータ対応表を作成し、ＲＡＭ２０７に格納する（３０３）。
【００２６】
メタデータ対応表を作成する所定の方法とは、メタデータの一覧表の上から順に、メタデータを、リモコンのボタンに表示されている数が小さい順に対応付けていく方法をいう。また、メタデータの一覧表の上から順に、メタデータを、リモコンのボタンに表示されている数が大きい順に対応付ける方法でもよい。メタデータの一覧表の下から順に、メタデータを、リモコンのボタンに表示されている数が小さい順に対応付ける方法でもよいし、リモコンのボタンに表示されている数が大きい順に対応付ける方法でもよい。また、リモコンのボタンに、付加するメタデータをランダムに対応付ける方法でもよい。メタデータの数よりリモコンのボタンの数の方が少ない場合には、ボタンの数だけメタデータを対応付けて、まだ対応付けされていないメタデータに関しては、ボタンの組み合わせを用いて対応付ける方法でもよい。また、ボタンの組み合わせを用いてすべてのメタデータを対応付ける方法でもよい。
【００２７】
図４はメタデータ対応付け処理部２０４が作成したリモコン１０２のボタンとメタデータの対応を示したメタデータ対応表の一例である。多くの機器の場合、コンテンツ表示装置または蓄積装置のもつ入力装置は数種類に限定されるが、家庭で撮影したパーソナルな性格を持つ画像データは、家族など特定種類の人物が表示されていることが多い。従って、画像データに付加するメタデータも特定種類のものに限定されることが多く、これら特定のメタデータのみを簡単な操作によって画像データに登録する仕組み、すなわち表示装置または蓄積装置のもつ入力装置に対応付けする手段を提供することにより、大部分の画像データに対してはメタデータ登録の作業効率が格段に向上する。
【００２８】
図４において４０１の行はリモコン１０２の「１」のボタンに「父」という人物情報であるメタデータを関連付けしたことを示している。同様に４０２、４０３の行ではリモコン１０２のボタン「２」に「母」というメタデータ、リモコン１０２のボタン「３」に「息子」というメタデータを関連付けしたことを示している。また、４０４の行では、リモコン１０２の「４」のボタンに「父」、および「母」の２つのメタデータを関連付けしたことを示している。また、４０５の行ではリモコン１０２の「決定」のボタンにはメタデータは関連付けられていないことを示している。
【００２９】
なお、図４では、家族の人物情報をメタデータの例として利用したが、これに限るものではない。画像データを撮影した場所情報、たとえば、「遊園地」「動物園」等であってもよく、また、イベント情報、たとえば、「運動会」「卒業式」などであってもよく、また、画像データを撮影した日時情報であってよく、ユーザが独自に定義したキーワード、たとえば、「おもしろい」「感動」等のメタデータであってもよい。
【００３０】
なお、メタデータ対応表は電源投入ごとに毎回作成する必要はなく、一度作成したものを蓄積装置２０１に格納しておき、２回目以降は蓄積装置に格納されたメタデータ対応表を再利用する方式をとってもよい。また、作成するメタデータ対応表はユーザの好みにカスタマイズできるようにしてもよい。
【００３１】
次に、メタデータ対応表４００を作成した後、メタデータ対応付け処理部２０４はメタデータ管理部２０３にメタデータ対応表４００の作成が終わったことを通知する。メタデータ管理部２０３は通知を受けた後、蓄積装置２０１からメタデータ管理表をＲＡＭ２０７上にロードする（３０４）。
【００３２】
図５は、メタデータ管理表である。図５を参照しながらメタデータ管理表の説明をする。
【００３３】
メタデータ管理表５００は画像データ識別子とメタデータから構成されており、メタデータ管理表から画像データに登録されているメタデータを知ることができる。画像データ識別子とは画像データを一意に特定するための識別子であり、たとえばファイル名がそれに相当する。メタデータ管理表５００の行５０１は画像データ識別子が「ＡＢＣ００１」の画像データにはメタデータがついていないことを知ることができる。行５０２も同様に画像データ識別子が「ＡＢＣ００２」の画像データにもメタデータがついていないことを知ることができる。また、行５０３から画像データ識別子が「ＡＢＣ００３」の画像データにはメタデータ「父」がついていることを知ることができる。
【００３４】
そして、メタデータ管理部２０３は表示制御部２０５にメタデータ管理表５００がロードされたことを通知する。表示制御部２０５は通知を受けた後、蓄積装置２０１から画像データを取得し、また、ＲＡＭ２６０上からメタデータ対応付け処理部２０４が作成した、メタデータ対応表４００を取得する（３０５）。その後、テレビ１０３に画像データとメタデータ対応表４００を表示する命令を発行し、テレビ１０３は画像データとメタデータ対応表４００を表示する（３０６）。
【００３５】
以上がプレイヤ１０１の電源投入から、画像データの閲覧開始までの処理フローである。
【００３６】
入力受付部２０６は、ユーザがプレイヤ１０１の電源ボタンを押下げると、メタデータ対応付け処理部２０４に対して、電源が投入されたことを通知する（３０２）。
【００３７】
次に、図６、図７を用いて、ユーザがリモコン１０２を用いて、画像データにメタデータを登録し、次の画像データ閲覧に移るまでの処理を説明する。
【００３８】
図６は、テレビ１０３に表示された画面の一例である。６０１は閲覧する画像データである。画像データには２人の人物６０２、６０３が写っており、画像データ６０１の横には、メタデータ対応付け処理部が作成したメタデータ対応表４００が表示されている。
【００３９】
図７は、ユーザが、画像データにメタデータを登録し、次の画像データ閲覧に移るまでの処理を示したフローチャートである。
【００４０】
ここでは、説明を簡単化するため、図６の画像データ６０１は図５のメタデータ管理表５００における画像データ識別子が「ＡＢＣ００１」の画像データに相当するものとする。また、画像データ６０１に写っている２人の人物は「父」と「母」とし、ユーザはこの画像データ６０１に「父」というメタデータと、「母」というメタデータを登録するものとする。
【００４１】
まず、メタデータ管理部２０３がＲＡＭ００６からメタデータ管理表５００を取得し、メタデータ管理表５００中の画像データ識別子が「ＡＢＣ００１」の行を検索し、画像データ識別子が「ＡＢＣ００１」の画像データにはメタデータがついていないかを確認する（７０１）。ここで、メタデータ管理表５００中の画像データ識別子が「ＡＢＣ００３」の画像データのように、すでにメタデータがついている画像データを閲覧している場合には、メタデータ管理部２０３は表示制御部２０５に画像メタデータ「父」がついていることを表示制御部２０５に通知（７１１）する。表示制御部２０５はメタデータ「父」をテレビ１０３に表示するように命令を発行し、テレビ１０３はメタデータ「父」をテレビ画面に表示する（７１２）。
【００４２】
図９は、このときのテレビ１０３の表示例である。メタデータを表示する欄（９０４）に、「父」のメタデータが表示されている。
【００４３】
次に、ユーザはテレビ１０３に表示された画像データ６０１に「父」と「母」の二人が写っていることを確認する。そして、ユーザはテレビ１０３に表示されたメタデータ対応表４００の中から、ボタン「４」が「父」と「母」のメタデータに対応していることを確認する。そして、ユーザはリモコン１０２のボタン「４」を押下する（７０２）。
【００４４】
リモコン１０２からの信号をプレイヤ１０１の入力受付部２０６が受信する（７０３）。
【００４５】
なお、ユーザがリモコン１０２のボタン「４」を押下した後、「決定」ボタンを押下しないと、入力受付部２０６はリモコン１０２からの信号を受け付けないようにしてもよい。
【００４６】
入力受付部２０６はメタデータ登録処理部２０２にリモコン１０２の「４」が押されたことを通知する（７０４）。メタデータ登録処理部２０２はＲＡＭ２０７からメタデータ対応表４００を取得し、リモコン１０２のボタン「４」が、「父」と「母」のメタデータに対応することを確認する（７０５）。次にメタデータ登録処理部２０２はＲＡＭ２０７上からメタデータ管理表５００を取得する（７０６）。メタデータ登録処理部は画像データ識別子の列から「ＡＢＣ００１」を検索し、画像データ識別子「ＡＢＣ００１」の画像データにはメタデータがついていないことを確認する。次にメタデータ登録処理部はメタデータ管理表５００の「ＡＢＣ００１」の行のメタデータの列にメタデータである「父」と「母」を登録する（７０７）。
【００４７】
図８は、メタデータ登録後のメタデータ管理表である。
【００４８】
メタデータ登録処理部２０２はメタデータの登録処理が終了したことを表示制御部２０５に通知する。
【００４９】
表示制御部２０５は通知を受けた後、次にテレビ１０３に表示する画像を所定の方法で決定し、ＲＡＭ２０７から画像データを取得し、画像データの表示する旨の命令をテレビ１０３に発行し、テレビ１０３は新しい画像データを６０１の領域に表示する（７０８）。
【００５０】
以上が、画像データにメタデータを登録し、次の画像データ閲覧に移るまでの処理の流れである。
【００５１】
なお、図７のフローチャートでは、リモコン１０２のボタン「４」を押し、画像データにメタデータ「父」と「母」を登録する例を説明したが、リモコン１０２の他のボタンも同様に動作をする。たとえば、閲覧中の画像データには父だけが写っている場合には、ユーザはメタデータ対応表からメタデータ「父」を付けるリモコン１０２のボタンは「１」であることを知り、リモコン１０２のボタン「１」を押すことで、プレイヤ１０１は閲覧中の画像データにメタデータ「父」を登録するとともに、テレビ１０３の表示を次に閲覧する画像データに遷移させる。
【００５２】
また、閲覧中の画像データはメタデータ対応表に該当する人物がいない場合には、ユーザはリモコン１０２のボタン「決定」を押すことで、プレイヤ１０１は閲覧中の画像データにメタデータは登録せずに、次に閲覧する画像データに遷移させる。
【００５３】
なお、本実施の形態では、プレイヤ１０１への入力装置としてリモコン１０２を利用したが、テレビ１０３のリモコンを用いてもよい。また、リモコン以外にもプレイヤ１０１またはテレビ１０３に付属のボタンや、プレイヤ１０１またはテレビ１０３に接続されたキーボードやマウス、ユーザの音声を利用しても本発明は実施可能である。
【００５４】
なお、プレイヤ１０１またはテレビ１０３が携帯電話をリモコンとして利用可能な場合には、携帯電話のボタンにメタデータを対応付けても本発明は実施可能である。
【００５５】
以上、説明したようにリモコン１０２のボタンにメタデータを対応付け、ユーザがそのボタンを押下することによって、画像データにメタデータを登録するとともに、次の画像データへの遷移を行うことができる。したがって、ユーザは画像データにメタデータを登録するだけでなく、メタデータの登録とともに、次の画像データへの遷移を行うことができるので、ユーザの利便性が向上する。
【００５６】
（実施の形態２）
実施の形態１では、デジタルスチルカメラ、デジタルビデオカメラ等で撮った画像データを家庭に持ち帰り、テレビおよびプレイヤを用いた場合の、画像データの閲覧とともにメタデータを登録する方法について説明した。実施の形態１の場合には、プレイヤ１０１またはテレビ１０３のリモコンには豊富にボタンがあり、登録したいメタデータに比べ、リモコンのボタンの数が多いため、メタデータに対し、ひとつのリモコンのボタンを対応付けることが可能であった。しかし、デジタルスチルカメラや、デジタルビデオカメラで撮った写真をすぐにその場で、閲覧し、メタデータを登録したい場合がある。その場合には、デジタルスチルカメラやデジタルビデオカメラには一般的にボタンの数は少なく、メタデータに対応付けるボタンの数が不足する可能性がある。本実施の形態では登録したいメタデータの種類より、ボタンの数が少ない場合のメタデータの登録方法についてデジタルスチルカメラを使用した場合を例として説明する。
【００５７】
図１０は、本発明であるメタデータ登録装置の実施の形態２における一例を示す図である。
【００５８】
図１０は、デジタルスチルカメラ本体１００１、操作ボタン部１００２、１００２１、１００２２、１００２３、１００２４、画像表示部１００３から構成される。本発明を実施するのはデジタルスチルカメラ１００１であり、実施の形態１のプレイヤ１０１に相当する。操作ボタン部１００２はボタン１００２１〜１００２４から構成されているデジタルスチルカメラ１００１を操作するためのボタンの集合であり、実施の形態１のリモコン１０２に相当する。画像表示部１００３は画像データを表示する画面であり、実施の形態１のテレビ１０３に相当する。
【００５９】
なお、デジタルスチルカメラ本体の構成例は実施の形態１の図２と同じであるため、各構成部の説明は省略する。
【００６０】
デジタルスチルカメラでの画像データ閲覧開始までの処理の説明については、実施の形態１で説明した、プレイヤ１０１の電源投入から画像データ閲覧開始までの処理（図３のフローチャート）と同じであるため説明は省略するが、図３のフローチャートの３０３でメタデータ対応付け処理部２０４が作成するメタデータ対応表が異なるため、図１１にメタデータ対応付け処理部２０４が作成したメタデータ対応表の一例を示す。
【００６１】
図１１の１１００はメタデータ対応付け処理部２０４が作成したメタデータ対応表である。行１１０１はデジタルスチルカメラの「Ａ」ボタン１００２１と「Ｂ」ボタン１００２２の組合せがメタデータ「父」に対応付けされていることを示している。また、「Ａ」ボタン１００２１と「Ｃ」ボタン１００２３の組合せがメタデータ「母」に、また「Ａ」ボタン１００２１と「Ｄ」ボタン１００２４の組合せがメタデータ「息子」に対応付けされていることを示している。また、「Ｂ」ボタン１００２２と「Ｃ」ボタン１００２３の組み合わせがメタデータ「父」と「母」に対応付けされていることを示している。また、「Ｄ」ボタン１００２４のみの場合はメタデータなしに対応付けされていることを示している。
【００６２】
図１２は、ユーザが、画像データにメタデータを登録し、次の画像データ閲覧に移るまでの処理を示したフローチャートである。
【００６３】
図１２を用いて、ユーザがデジタルスチルカメラ上で画像データの閲覧と同時に画像データにメタデータを登録し、次の画像データ閲覧に移るまでの処理フローについて説明を行う。
【００６４】
なお、画像データのメタデータがついているかの確認からメタデータがすでについていた場合の処理１２０１、１２１１、１２１２については、図７のフローチャートの７０１、７１１、７１２と同じであるため、説明を省略する。したがって、ユーザがボタン押下からメタデータ登録するまでの処理を図１３と図５および図１２のフローチャートを用いて説明する。
【００６５】
図１３は、デジタルスチルカメラ１００１の画像表示部１００２に表示されている画像データとメタデータ対応表である。画像データは図６で用いた６０１と同じものである。また、メタデータ対応表は図１１で示した１１００と同じである。
【００６６】
なお、以下の説明においても実施の形態１の説明と同様に、図１３の画像データ１３０１は、図５の画像データ識別子が「ＡＢＣ００１」であるとし、画像データ１３０１に写っている２人の人物は「父」と「母」とする。ユーザはこの画像データ１３０１に「父」というメタデータと、「母」というメタデータを登録するものとする。
【００６７】
ユーザは画像表示部１００３に表示された画像データ１３０１に「父」と「母」の二人が写っていることを確認する。次に、ユーザは画像表示部１００３に表示されたメタデータ対応表１１００の中から、「父」と「母」のメタデータに対応するボタンを検索し、「Ｂ」ボタンと「Ｃ」ボタンの組合せが「父」と「母」のメタデータに対応していることを確認する。次に、ユーザは操作ボタン部１００２の「Ｂ」のボタンと「Ｃ」ボタンとを押下げて、１つの入力イベントを発生させる（１２０２）。
【００６８】
操作ボタン部１００２からの入力イベントをデジタルスチルカメラ１００１の入力受付部２０６が受信する（１２０３）。
【００６９】
なお、ユーザが操作ボタン部１００２の「Ｂ」のボタンと「Ｃ」ボタンとを押下げて、さらにメタデータが対応付けられていない「Ｄ」ボタンを押下しないと、入力受付部２０６はリモコン１０２からの信号を受け付けないようにしてもよい。
【００７０】
入力受付部２０６はメタデータ登録処理部２０２に操作ボタン部１００２の「Ｂ」と「Ｃ」のボタンが押されたことを通知する（１２０４）。メタデータ登録処理部２０２は、ＲＡＭ２０７からメタデータ対応表１１００を取得し、ボタン「Ｂ」と「Ｃ」の組合せに対応するメタデータを検索し、「父」と「母」のメタデータが対応することを確認する（１２０５）。次にメタデータ登録処理部２０２は、ＲＡＭ２０７上からメタデータ管理表５００を取得する（１２０６）。メタデータ登録処理部２０２は、画像データ識別子の列から「ＡＢＣ００１」を検索し、画像データ識別子「ＡＢＣ００１」の画像データにはメタデータがついていないことを確認する。次にメタデータ登録処理部２０２は、メタデータ管理表５００の「ＡＢＣ００１」の行のメタデータの列にメタデータである「父」と「母」を登録する（１２０７）。メタデータ登録後のメタデータ管理表は、図８に示したものである。メタデータ登録処理部２０２は、メタデータの登録処理が終わったことを表示制御部２０５に通知する。登録処理とは、コンテンツにメタデータを登録すること、あるいは、コンテンツにメタデータを登録するとともに、次のコンテンツを画面に表示させることをいう。
【００７１】
表示制御部２０５は通知を受けた後、次に画像表示部１００３に表示する画像データを所定の方法で決定し、ＲＡＭ２０７から画像データを取得する。ここでいう所定の方法とは、予め画像を表示する順番が決められているのであれば、その順番のままでもよい。また、画像をメタデータに関連して並び替え、登録したメタデータと同じメタデータを付加できるように、次の画像データを決定してもよい。
【００７２】
そして、表示する命令を画像表示部１００３に発行し、画像表示部１００３は新しい画像データを１３０１の領域表示する（１２０８）。
【００７３】
以上が、画像データにメタデータを登録し、次の画像データ閲覧に移るまでの処理の流れである。
【００７４】
なお、本実施の形態の説明においては、２つのボタンを順に押して、入力イベントを発生させ、コンテンツにメタデータを登録する方法を説明したが、３つ以上のボタンを順に押して、入力イベントを発生させ、コンテンツにメタデータを対応付けて、登録してもよい。また、２つ以上のボタンの同時押しにより、入力イベントを発生させ、コンテンツにメタデータの登録を行ってもよい。
【００７５】
以上、説明したように、登録したいメタデータがボタンの数よりも多い場合にも、ひとつのメタデータに複数のボタンの組合せを対応付けることにより、ユーザは画像データに容易にメタデータを登録することが可能となる。
【００７６】
なお、メタデータに対応付けるボタンの数がさらに少ないときは、ボタンを押し続けた時間に応じて、異なるメタデータを登録する方法をとっても本発明は実施可能である。たとえば、ボタンを押した時間が１秒未満の場合にはメタデータなし、１秒以上２秒未満のときにはメタデータ「父」を登録、２秒以上の場合にはメタデータ「母」を登録するといった方法が考えられる。
【００７７】
実施の形態１および実施の形態２では、本発明を実施する端末として、プレイヤ１０１およびデジタルスチルカメラ１００１を利用して説明してきたが、本発明の適用範囲はこれに限るものではなく、画像データを閲覧できる端末であれば実現可能である。たとえば、携帯電話やポータブル音楽プレイヤなどのように画像閲覧画面と操作用の入力装置がついた端末であれば実現可能である。
【産業上の利用可能性】
【００７８】
本発明を構成するプレイヤは、製造産業において経営的に、また継続的及び反復的に製造し、販売することができる。特に、映像コンテンツを取り扱い、再生・録画などを行なう民生機器産業において利用できる。
【図面の簡単な説明】
【００７９】
【図１】本発明を実施する一例の構成を示す図
【図２】本発明を実現するためのプレイヤの一例の機能構成を示す図
【図３】本発明の電源投入から画像データ閲覧開始までを説明するフローチャート
【図４】本発明に関わるメタデータ対応表の一例を示す図
【図５】本発明に関わるメタデータ管理表の一例を示す図
【図６】本発明に関わる画面の表示の一例を示す図
【図７】本発明の画像データ閲覧開始からメタデータ登録までの処理を説明するフローチャート
【図８】本発明に関わるメタデータ登録後のメタデータ管理表の一例を示す図
【図９】本発明に関わるメタデータが既に登録された画像閲覧時の画面の表示の一例を示す図
【図１０】本発明を実施する一例の構成を示す図
【図１１】本発明に関わるメタデータ対応表の一例を示す図
【図１２】本発明の画像データ閲覧開始からメタデータ登録までの処理を説明するフローチャート
【図１３】本発明に関わる画面の表示の一例を示す図
【符号の説明】
【００８０】
１０１    プレイヤ
１０２    リモコン
１０３    テレビ
２０１    蓄積装置
２０２    メタデータ登録処理部
２０３    メタデータ管理部
２０４    メタデータ対応付け処理部
２０５    表示制御部
２０６    入力装置
２０７    ＲＡＭ
【図１】
2008293160.tif 000003
【図２】
2008293160.tif 000004
【図３】
2008293160.tif 000005
【図４】
2008293160.tif 000006
【図５】
2008293160.tif 000007
【図６】
2008293160.tif 000008
【図７】
2008293160.tif 000009
【図８】
2008293160.tif 000010
【図９】
2008293160.tif 000011
【図１０】
2008293160.tif 000012
【図１１】
2008293160.tif 000013
【図１２】
2008293160.tif 000014
【図１３】
2008293160.tif 000015